(57)【要約】【課題】  サーバー室の出入口から空調空気の漏洩を防止するためのサーバー室の扉体構造を提供する。【解決手段】  天井１に固定したカーテンレール３に摺動自在に連繋させたカーテンリング４にフック５を介して可撓性を備えた左右一対のカーテン2a、2bを吊下させる。カーテン2a、2bの中央側端部のそれぞれには、係合用凸部2cと係合用凹部2dとを配設させ、これらの係合時には、端部同士が密着するようにする。カーテン2a、2bの下端部には重錘６を取り付け、その重量によってカーテン2a、2bが緊張して吊下されるようにする。また、前記カーテンレール３と天井１とにシート材10の中央部を挟持させ、その端部をカーテン2a、2bの上端部よりも下位に位置させる。【選択図】        図１
2016000164.tif 000002
【特許請求の範囲】
【請求項１】
複数台のサーバーを収容可能なラックが複数個行列して設置されるサーバー室の扉体構造において、
天井面に設置した案内レールに、一対のカーテンを吊下し、
前記一対のカーテンを前記案内レールの中央部にて開閉自在とし、
前記一対のカーテンの中央側端部に係合手段を設け、
前記一対のカーテンの閉成時には前記係合手段が係合して、一対のカーテンの中央側端部を密着させ、
前記カーテンの下部に重錘を保持させてあることを特徴とするサーバー室の扉体構造。
【請求項２】
複数台のサーバーを収容可能なラックが複数個行列して設置されるサーバー室の扉体構造において、
天井面に設置した案内レールに蛇腹状に折り畳み自在な一対の折り畳み式のカーテンを吊下し、
前記一対の折り畳み式のカーテンを前記案内レールの中央部にて開閉自在とし、
前記一対の折り畳み式のカーテンの中央側端部に係合手段を設け、
前記一対の折り畳み式のカーテンの閉成時には前記係合手段が係合して、これら一対の折り畳み式のカーテンの中央側端部を密着させることを特徴とするサーバー室の扉体構造。
【請求項３】
前記案内レールの上面と天井面とでシート材を挟持させ、該シート材の先端部を前記カーテンの上端部より下位に位置させて吊下させたことを特徴とする請求項１または請求項２に記載のサーバー室の扉体構造。
【請求項４】
複数台のサーバーを収容可能なラックが複数個行列して設置されるサーバー室の扉体構造において、
天井面に固定した保持梁に任意数の帯状の開閉用シートを吊下させ、
前記開閉用シートを、隣接する開閉用シートの端部同士を重畳させたことを特徴とするサーバー室の扉体構造。
【発明の詳細な説明】
【技術分野】
【０００１】
この発明は、サーバー室内の温湿度を極力一定に維持するために、サーバー室への入口を効果的に遮蔽して、空調の効率化を図るサーバー室の扉体構造に関する。
【背景技術】
【０００２】
近年のネットワーク網の多様化や複雑化に伴われて、ネットワーク機器やサーバーを専用のサーバー室に設置することが行われている。この種のサーバー室では、地震や火災、セキュリティなどの対策を講じることは勿論、空調管理も重要な対策課題であり、効率のよい空調システムが望まれている。
【０００３】
ところで、サーバー室の設置にあたっては、例えば、特許文献１には、設置及び撤去を容易かつ迅速に行うことができるサーバー室として、サーバーが設置される空間と、前記サーバーの温度を調整するための空調機とを有するサーバー室であって、長尺状に延びる複数の支柱と、これら複数の支柱の間に設けられ、前記支柱の長辺部に着脱可能に連結される側壁部材とを備え、前記支柱と前記側壁部材とを連結することによって組み立て可能とされたものが開示されている。
【０００４】
また、特許文献２には、ラックが配置される施設の天井に設置された機器の点検・保守作業性にすぐれ、かつ天井パネルの保守性に優れたラック間通路遮へい構造として、複数のラックからなるラック列を対向配置し、該ラック列間に形成されるラック間通路に、天井部と入口扉部と該入口扉部に対向する位置に設置された背面部を設けて形成されたラック間通路遮へい構造であって、該天井部は、天井パネルを支持する枠部材と複数の天井パネルから構成され、ラック間通路内側に、パネル着脱機構部を備えた構造が開示されている。
【先行技術文献】
【特許文献】
【０００５】
【特許文献１】特開２００７−２８５０８２号公報
【特許文献２】特開２０１０−１６８７６７号公報
【発明の概要】
【発明が解決しようとする課題】
【０００６】
サーバー室には、特許文献２に記載されているように、サーバーを収容する多数のラックによってラック列が配置されている。これらラックに収容されたサーバーを冷却するための冷風がサーバー室へ供給されているが、ラック列の配置状況に応じて適切な空調を行えるように冷風の吹き出し口の位置や冷風の流れ方向等が設定されている。
【０００７】
他方、サーバー室へは管理者や作業者等が出入する必要があるため、開閉自在な扉体が設けられている。この扉体の閉成時には、サーバー室の内外とで空調空気の出入があっては不都合であるから、閉成時には気密性が確保される必要がある。他方、高い気密性を確保する扉体構造が採用される場合には、複雑な構造となると共に、開閉動作が容易でないため、サーバー室の扉体としてはコストが大きくなりすぎてしまう。
【０００８】
そこで、この発明は、サーバー室への出入の際の開閉が容易で、閉成時にはサーバー室の空調状態に支障を生じないよう十分な気密性を確保できるサーバー室の扉体構造を提供することを目的としている。
【課題を解決するための手段】
【０００９】
前記目的を達成するための技術的手段として、この発明に係るサーバー室の扉体構造は、複数台のサーバーを収容可能なラックが複数個行列して設置されるサーバー室の扉体構造において、天井面に設置した案内レールに、一対のカーテンを吊下し、前記一対のカーテンを前記案内レールの中央部にて開閉自在とし、前記一対のカーテンの中央側端部に係合手段を設け、前記一対のカーテンの閉成時には前記係合手段が係合して、一対のカーテンの中央側端部を密着させ、前記カーテンの下部に重錘を保持させてあることを特徴としている。
【００１０】
前記一対のカーテンを閉成させると、前記係合手段の係合によって中央側端部が密着するので、サーバー室の出入口が閉鎖されて、該カーテンによってサーバー室の内外部が遮蔽される。また、前記重錘によってカーテンが緊張した状態に維持されると共に、カーテンが揺れることが防止されるので、閉成状態が維持される。
【００１１】
前記中央側端部同士を密着させるには、例えば、一方のカーテンの端部に凹部を形成し、他方のカーテンの端部にこの凹部と係脱する凸部を形成する構造として係合時には端部が密着するようにしたり、磁石を貼着してその磁力によって接着させて端部が密着するようにしたり、面ファスナーによって端部同士を接着した密着するようにしたり、その他の方法によって実現することができる。
【００１２】
また、請求項２の発明に係るサーバー室の扉体構造は、複数台のサーバーを収容可能なラックが複数個行列して設置されるサーバー室の扉体構造において、天井面に設置した案内レールに蛇腹状に折り畳み自在な一対の折り畳み式のカーテンを吊下し、前記一対の折り畳み式のカーテンを前記案内レールの中央部にて開閉自在とし、前記一対の折り畳み式のカーテンの中央側端部に係合手段を設け、前記一対の折り畳み式のカーテンの閉成時には前記係合手段が係合して、これら一対の折り畳み式のカーテンの中央側端部を密着させることを特徴としている。
【００１３】
いわゆるアコーディオン式カーテンとしたものであり、中央側端部同士を密着させた状態で出入口が閉鎖されるようにしたものである。なお、中央部側端部同士を密着させる構造としては、前述のように、凹凸の係合によるものや、磁石の磁力を利用するもの、面ファスナーによるもの等を利用することができる。
【００１４】
また、請求項３の発明に係るサーバー室の扉体構造は、前記案内レールの上面と天井面とでシート材を挟持させ、該シート材の先端部を前記カーテンの上端部より下位に位置させて吊下させたことを特徴としている。
【００１５】
カーテンレールとカーテンとの組合せによる場合には、カーテンをカーテンリング等を用いて吊下させるため、このカーテンリングの部分を介してサーバー室の内外部が連通することになり、この部分から空調空気が漏洩するおそれがある。そこで、この部分を覆う状態にシート材を配したものである。シート材によって覆われるため、前記カーテンリングからの空調空気の漏洩が極力防止される。
【００１６】
また、請求項４の発明に係るサーバー室の扉体構造は、複数台のサーバーを収容可能なラックが複数個行列して設置されるサーバー室の扉体構造において、天井面に固定した保持梁に任意数の帯状の開閉用シートを吊下させ、前記開閉用シートを、隣接する開閉用シートの端部同士を重畳させたことを特徴としている。
【００１７】
いわゆる暖簾形式としたものである。作業者等の出入は、開閉用シートを掻き分けて行われる。作業者等が掻き分けられればよいため、開閉用シートは十分な肉厚として適宜な重量にすることによって、不用意に揺れてしまうことがないようにできる。
【発明の効果】
【００１８】
この発明に係るサーバー室の扉体構造によれば、簡単な構造で確実にサーバー室を閉鎖できて、サーバー室の内外部を遮蔽するから、空調空気の漏洩を防止できて、サーバー室の温度環境等をほぼ一定に維持できる。
【００１９】
また、請求項３の発明に係るサーバー室の扉体構造によれば、カーテンを吊下することにより形成される隙間を遮蔽することができて、サーバー室からの空調空気の漏洩を極力防止できる。
【図面の簡単な説明】
【００２０】
【図１】この発明に係るサーバー室の扉体構造の第１の実施形態を示す扉体の正面図である。
【図２】この発明に係るサーバー室の扉体構造の第２の実施形態を示す扉体の正面図である。
【図３】この発明に係るサーバー室の扉体構造の第３の実施形態を示す扉体の正面図である。
【図４】この発明に係るサーバー室の扉体構造の気密性をさらに向上させる構造を示す側面図である。
【図５】サーバー室の気密性を損なうおそれがある構造を説明する図である。
【発明を実施するための形態】
【００２１】
以下、図示した好ましい実施の形態に基づいて、この発明に係るサーバー室の扉体構造を具体的に説明する。なお、図１に第１の実施形態を、図２に第２の実施形態を、図３に第３の実施形態をそれぞれ示してある。
【００２２】
図１に示す第１実施形態に係るサーバー室の扉体構造は、可撓性を備えた軟質塩化ビニールにより形成された一対のカーテン2a、2bを主体として構成されたものである。なお、カーテン2a、2bには、不燃性・防炎性や光透過性、帯電防止性等を備えていることが好ましい。このカーテン2a、2bは、図５に示すように、天井１に固定された案内レールとしてのカーテンレール３に案内されて摺動自在に連繋されたカーテンリング４に、フック５を介して吊下されている。
【００２３】
また、図１に示すように、前記左右に一対のカーテン2a、2bは、両開きにより開閉するようにしてある。これら一対のカーテン2a、2bの一方のカーテン2aの中央側端部には係合手段としての適宜個数の係合用凸部2cが適宜位置に配設されており、他方のカーテン2bの中央側端部であって前記係合用凸部2cに臨む位置には、係合手段としての係合用凹部2dが配設されている。そして、一対のカーテン2a、2bの中央側端部を重畳させた状態で、前記係合用凸部2cと係合用凹部2dとが係合してこの端部が密着するようにしてある。なお、これら一対のカーテン2a、2bの中央側端部が密着する構造であれば、係合用凸部2cと係合用凹部2dとの組合せによれず、例えば、該端部の埋め込んだ磁石の磁力によるものや、該端部に貼着した面ファスナーによる構造、その他であっても構わない。
【００２４】
また、前記カーテン2a、2bの下端部には重錘６が保持されており、その重量によってカーテン2a、2bが緊張して吊下された状態となるようにしてある。
【００２５】
以上により構成された第１実施形態に係るサーバー室の扉体構造では、左右一対のカーテン2a、2bを中央部で分離させることにより、カーテン２が開放される。このとき、左右のカーテン2a、2bを左右それぞれに移動させると、前記係合用凸部2cと係合用凹部2dとの係合状態が解除されて、さらに前記カーテンリグ４をカーテンレール３に沿って移動させれば、左右のカーテン2a、2bが両側に開いて中央部が開放するから、作業者等はサーバー室への出入を行える。
【００２６】
カーテン２を閉成する場合には、カーテン2a、2bを中央側へ摺動させて、前記係合用凸部2cと係合用凹部2dとを係合させれば、カーテン2a、2bの中央側端部同士が密着して、サーバー室の内外部が遮蔽される。このため、空調空気の漏洩が抑制される。
【００２７】
また、前記カーテン2a、2bの下端部に前記重錘６が保持させてあるため、カーテン2a、2bが緊張した状態で吊下されると共に、不用意に揺れることがなく、サーバー室の遮蔽状態が維持される。
【００２８】
図２に示す第２実施形態に係るサーバー室の扉体構造は、左右一対のカーテンに、それぞれ蛇腹状に折り畳める折り畳み式の、いわゆるアコーディオン式カーテン7a、7bを用いたものである。なお、第１実施形態に係る扉体構造と同一の部位には、同一の符号を付してある。このアコーディオン式カーテン7a、7bには不燃性・防炎性や光透過性、帯電防止性等を具備させてあることが好ましい。このアコーディオン式カーテン7a、7bは、図５に示すように、天井１に固定された案内レールとしてのカーテンレール３にカーテンリング４を介して吊下されている。また、中央側端部に設けられる係合手段としては、前述したような係合用凸部や係合用凹部の組合せや、面ファスナー8a、8bの組合せ等の係合手段が設けられており、これら係合手段の係合によって中央側端部同士が密着するようにしてある。
【００２９】
この第２実施形態によるサーバー室の扉体構造によれば、左右一対のアコーディオン式カーテン7a、7bを左右に分離させれば、前記面ファスナー8a、8bの係合が解除され、アコーディオン式カーテン7a、7bを左右に開放することができる。このとき、アコーディオン式カーテン7a、7bをそれぞれ左右に移動させると、順次折り畳まれながら移動する。そして、中央部に形成された開口から作業者等はサーバー室へ出入することができるようになる。
【００３０】
また、左右のアコーディオン式カーテン7a、7bをそれぞれ中央側に移動させて、端部の前記面ファスナー8a、8bを係合させると、端部同士が密着してサーバー室の内外部が遮蔽される。
【００３１】
ところで、第１実施形態と第２実施形態に係るサーバー室の扉体構造のカーテン2a、2b、7a、7bはいずれも、図５に示すように、カーテンレール３に摺動自在に取り付けられたカーテンリング４にフック５を介して吊下されているから、カーテンリング４とフック５の部分でサーバー室の内外部が連通している状態にある。このため、サーバー室内から、矢標Ｐで示すように、空調空気が漏洩してしまうおそれがある。そこで、図４に示すように、シート材10を用いてこれらの連通部が遮蔽されている。このシート材10は、その中央部が天井１とカーテンレール３とに挟持させて取り付けられており、両端部が前記カーテン2a、2b、7a、7bの上端部よりも下方に位置するようにしてある。
【００３２】
図５上矢標Ｑで示すように、サーバー室の外部へ漏洩しようとする空調空気は、このシート材10によって遮蔽されて、漏洩することが防止される。
【００３３】
次に、図３に示す第３実施形態に係るサーバー室の扉体構造を説明する。この第３実施形態は、天井１に保持梁12が固定されており、この保持梁12に帯状に形成された複数枚の開閉用シート13が吊下されて取り付けられている。また、これら複数枚の開閉用シート13は、隣接する開閉用シート13同士の端部が適宜な幅で重畳させてある。なお、この開閉用シート13には、不燃性・防炎性や光透過性、帯電防止性を備えた素材により構成することが好ましく、さらに、適宜な重量で不用意に揺れてしまうことがないようにすることが好ましい。
【００３４】
この第３実施形態に係るサーバー室の扉体構造によれば、サーバー室への出入の際には、前記開閉用シート13を掻き分けるようにして一部を開放させれば、作業者等はこの開放した部分を通過することができる。
【産業上の利用可能性】
【００３５】
この発明に係るサーバー室の扉体構造によれば、簡単な構造であるためコストを上昇させることがなく、サーバー室の内外部を遮蔽することができ、また、既設のサーバー室であっても設置することが可能であり、サーバー室内の空調の効率化に寄与する。
【符号の説明】
【００３６】
１  天井
2a  2b  カーテン
2c  係合用凸部（係合手段）
2d  係合用凹部（係合手段）
３  カーテンレール（案内レール）
４  カーテンリング
５  フック
６  重錘
7a、7b  アコーディオン式カーテン
8a、8b  面ファスナー（係合手段）
10  シート材 
12  保持梁
13  開閉用シート
【図１】
2016000164.tif 000003
【図２】
2016000164.tif 000004
【図３】
2016000164.tif 000005
【図４】
2016000164.tif 000006
【図５】
2016000164.tif 000007